(57)【要約】【課題】物忘れが激しい人または年寄りが、時間を合わせるのに役に立ち、物忘れによる事故などを防ぎ、仕事の現場、試験室などで時間に合わせて行われる仕事を誤差がないようにすることができ、効率性を高めることができるタイマー機能付き携帯電話端末機を提供する。【解決手段】ジョグシャトル方式のノブ１２を有するタイマー１０を携帯電話に設置し、タイマー１０を操作する操作スイッチ２０と、入力の信号を計算、制御する制御部３０と、制御部３０の信号を出力する出力部４０とで構成されている。【選択図】図１
0003129319.tif 000002
【実用新案登録請求の範囲】
【請求項１】
上部ホルダーの前面に設けられ、ジョグシャトル方式のノブを有するタイマーと、
前記タイマーの動作を操作する操作スイッチと、
前記タイマーの時間情報が使用者へ表示されるよう出力する出力部と、
前記操作スイッチ、前記タイマーおよび前記出力部を制御する制御部とを、
有することを特徴とするタイマー機能付き携帯電話端末機。
【請求項２】
前記タイマーは、前記ノブの側面に沿って凸凹が形成されており、前記上部ホルダーの前面の高さより低く形成されていることを、特徴とする請求項１記載のタイマー機能付き携帯電話端末機。
【請求項３】
前記操作スイッチは前記上部ホルダーの前面の高さより低く形成されていることを、特徴とする請求項１または２記載のタイマー機能付き携帯電話端末機。
【請求項４】
前記出力部は、文字と数字とを表示可能な液晶表示板、光を点灯または点滅するLED、音を出すスピーカーおよび振動を発する振動モーターのうち、少なくとも２つ以上を有することを、特徴とする請求項１、２または３記載のタイマー機能付き携帯電話端末機。
【考案の詳細な説明】
【技術分野】
【０００１】
本考案は、ジョグシャトル方式のノブを有するタイマーを電話に設置し、特定時間で行われる仕事や、物忘れが激しい人、年寄りの記憶力をほう助する役割ができるタイマー機能付き携帯電話端末機に関する。
【背景技術】
【０００２】
一般的に、記憶力は、個人差によるが、物忘れが激しい場合または元々記憶力が悪い場合以外では、普通、年を取ることにより減退していく。このため、記憶力の減退による物忘れや、やるべき仕事を忘れることによって、金銭的、精神的損失をすることが多い。例えば、食後、薬を飲むのを忘れたり、調理の時、火を消すのを忘れて火事が発生する恐れがあったり、実験などで時間を守れず不利益が発生したりすることがある。
【０００３】
このような問題を解決するため、従来、デジタルまたはアナログ方式のタイマーを使って、一定の時間に使用者が気づくようにしている。しかし、従来のタイマーは、別途に購入するひつようがあるため費用が嵩み、簡単に携帯するためにコンパクトサイズで作られる必要がある。また、従来、携帯に便利なように、腕時計にタイマーの機能が付いたものもあるが、携帯電話の普及で需要が減少していく傾向にある。そこで、普及率が高い携帯電話に、デジタル方式のタイマー機能を付加したものが、一般的に使用されている。
【考案の開示】
【考案が解決しようとする課題】
【０００４】
しかしながら、デジタル方式のタイマー機能が付加された携帯電話は、年寄りや機械の操作が苦手な人にとっては、操作が困難であり、使用の道が限られるという課題があった。
【０００５】
本考案は、このような従来の課題に着目してなされたもので、ジョグシャトル方式のノブを有するタイマーを携帯電話の上部ホルダーに設置して、誰もが簡単、便利に操作することができるタイマー機能付き携帯電話端末機を提供することを目的とする。また、タイマーのノブと操作スイッチとを携帯電話の上部ホルダーの前面より低く陥没させることにより、他人または本人の意志や別の力で変更されるのを防ぐことができるタイマー機能付き携帯電話端末機を提供することも目的とする。さらに、定めた時刻に文字、数字、音響または光などを出力することにより、使用者に明確に伝えることができ、効率性を高めることができるタイマー機能付き携帯電話端末機を提供することも目的とする。
【課題を解決するための手段】
【０００６】
上記目的を達成するために、本考案に係るタイマー機能付き携帯電話端末機は、上部ホルダーの前面に設けられ、ジョグシャトル方式のノブを有するタイマーと、前記タイマーの動作を操作する操作スイッチと、前記タイマーの時間情報が使用者へ表示されるよう出力する出力部と、前記操作スイッチ、前記タイマーおよび前記出力部を制御する制御部とを、有することを特徴とする。
【０００７】
本考案に係るタイマー機能付き携帯電話端末機は、ジョグシャトル方式のノブを有するタイマーが設置されているため、年寄りや機械の操作が苦手な人でも容易にタイマーを操作することができ、誰もが簡単、便利に操作することができる。このため、物忘れの激しい人または年寄りが、時間に合わせて行うべき仕事を忘れずに出来るようにし、時間のずれが原因で起こる事故などを防止することができる。また、作業現場や実験室などでの正確な時間を要する仕事を、時間誤差のないように行うことができ、効率性を高めることができる。
【０００８】
本考案に係るタイマー機能付き携帯電話端末機で、前記タイマーは、前記ノブの側面に沿って凸凹が形成されており、前記上部ホルダーの前面の高さより低く形成されていることが好ましい。また、本考案に係るタイマー機能付き携帯電話端末機で、前記操作スイッチは前記上部ホルダーの前面の高さより低く形成されていることが好ましい。このように、タイマーのノブや操作スイッチを携帯電話の上部ホルダーの前面より低く陥没させることにより、他人または本人の意志や別の力で変更されるのを防ぐことができる。
【０００９】
本考案に係るタイマー機能付き携帯電話端末機で、前記出力部は、文字と数字とを表示可能な液晶表示板、光を点灯または点滅するLED、音を出すスピーカーおよび振動を発する振動モーターのうち、少なくとも２つ以上を有することが好ましい。この場合、定めた時刻に文字、数字、音響、光または振動などを出力して、使用者に明確に伝えることができ、効率性を高めることができる。また、文字、光、音および振動のうち、少なくとも２つ以上で使用者に知らせることができるため、使用者が気付かない危険性を減らし、気付きやすくすることができる。出力部が有する液晶表示板、LED、スピーカーまたは振動モーターのうち、作動するものを選択可能であってもよい。
【考案の効果】
【００１０】
本考案によれば、誰もが簡単、便利に操作することができるタイマー機能付き携帯電話端末機を提供することができる。また、タイマーのノブと操作スイッチとを携帯電話の上部ホルダーの前面より低く陥没させることにより、他人または本人の意志や別の力で変更されるのを防ぐことができる。さらに、定めた時刻に文字、数字、音響または光などを出力することにより、使用者に明確に伝えることができ、効率性を高めることができる。物忘れがちの人やお年寄りが時間に合わせ行う仕事をサポートすることによって、過ちを事前に防ぐことができる。仕事現場や実験室などで定められた時間で行われる仕事をサポートすることによって、作業の効率性を向上させることができる。
【考案を実施するための最良の形態】
【００１１】
以下、図面に基づき本考案の実施の形態について説明する。
図１および図２は、本考案の実施の形態のタイマー機能付き携帯電話端末機を示している。
なお、本考案の実施の形態のタイマー機能付き携帯電話端末機は、本考案の権利範囲を限定するものではなく、１つの例としての提案で、その技術的要旨を離れない範囲で、多様な使い方をすることもできる。
【００１２】
図１および図２に示すように、タイマー機能付き携帯電話端末機１は、上部ホルダーの前面に、タイマー１０と、タイマー１０を操作できる操作スイッチ２０と、使用者へ表示できるよう出力する出力部４０と、タイマー１０、操作スイッチ２０および出力部４０を制御する制御部３０とが形成されている。
【００１３】
タイマー１０は、アナログ方式から成り、左右回転が可能なジョグシャトル方式のノブ１２が携帯電話端末機１の上部ホルダー前面に配置されるよう形成されている。ノブ１２は、直径が2cm程で、その外側面に沿って凸凹が形成されており、お年寄りでも使いやすくなっている。ノブ１２は、凸凹が歯車の形状であるのが好ましく、場合によっては多様な形状にすることもできる。また、ノブ１２は、携帯電話端末機１の上部ホルダー前面の高さより低く形成され、ノブ１２の周りに沿った携帯電話端末機１の上部ホルダーの前面部に、時間を表す目盛りが表示されている。タイマー１０は、ノブ１２と携帯電話端末機１の上部ホルダーとの間に一定の間隔が設けられ、手または爪などを使って動かしやすく形成されている。
【００１４】
操作スイッチ２０は、携帯電話端末機１の上部ホルダーの前面に形成されており、タイマー１０の下方に配置されている。なお、操作スイッチ２０は、タイマー１０の周りのどこに配置されていてもよく、場合によっては、携帯電話端末機１の側面に形成されて、タイマー１０の動作を操作してもよい。操作スイッチ２０は、一回押すとタイマー１０の操作を作動させ、操作スイッチ２０を二回連続して押すとタイマー１０の動作を止められるようになっている。操作スイッチ２０は、携帯電話端末機１の上部ホルダー前面の高さより低く形成され、思わぬ操作ミスや誤作動によるミスを防ぐようになっている。
【００１５】
制御部３０は、操作スイッチ２０およびタイマー１０からの入力データを計算し、それらの制御をするもので、携帯電話端末機１の内部に形成されている。
出力部４０は、制御部３０の信号により、使用者に残りの時間や定められた時間などのタイマー１０の時間情報を知らせるように出力するもので、液晶表示板４２、LED４４、スピーカー４６および振動モーター(図示せず)を有している。なお、出力部４０は、液晶表示板４２、LED４４、スピーカー４６および振動モーター(図示せず)のうち、選択された２つ以上を含んで構成されていてもよい。
【００１６】
液晶表示板４２は、文字及び数字を表示するもので、定められた時刻から残りの時間を表示することによって使用者が目で簡単に確認できるようになっている。LED４４は、定められた時刻内に一定間隔で点滅したり、定められた時刻に点灯または点滅したりすることで使用者に知らせるようになっている。スピーカー４６は、LED４４と同様に定められた時刻内に一定間隔で音を発散したり、定められた時刻に音を発散したりすることによって、ある程度の距離でも使用者に知らせることができるようになっている。また、出力部４０は、携帯電話端末機１の振動モーター(図示せず)を使って、定められた時刻内に一定の間隔で震えたり、定められた時刻に震えたりすることによって使用者に知らせるようになっている。
【００１７】
出力部４０は、液晶表示板４２、LED４４、スピーカー４６および振動モーターのうち、２つ以上が同時に作動するようになっている。また、液晶表示板４２、LED４４、スピーカー４６および振動モーターは、制御部３０により単一モードまたは複合モードで出力できるようになっており、本考案の技術的な要旨が認められる範囲での多様な変更が可能である。このように構成された携帯電話端末機１は、設定の時間になると、出力部４０を通して、“時間になりました”、“時間だよ”などの日本語、または“It’s about time”などの英語のメッセージを、使用者に伝えるようになっている。
【００１８】
以下、添付の図面により、作用および効果を説明する。
図１および図２に示すように、タイマー機能付き携帯電話端末機１のタイマー１０を、定めた時刻に合わせて回し、操作スイッチ２０を押してタイマー１０を作動させる。制御部３０により、タイマー１０で定められた時刻内に一定の間隔で、またはタイマー１０で定められた時刻になると、出力部４０を通して信号を出力する。
【００１９】
タイマー１０は、左右回転が出来るジョグシャトル方式のノブ１２を使うもので、ノブ１２を回して時刻を簡単に合わせられる。ノブ１２は、外側面に沿って凸凹が形成されており、指または爪などを使って簡単に操作することができる。また、ノブ１２の周りの携帯電話端末機１に時刻を表す目盛りがあり、正確に時間の調整ができる。このように、携帯電話端末機１は、年寄りや機械の操作が苦手な人でも容易にタイマー１０を操作することができ、誰もが簡単、便利に操作することができる。このため、物忘れの激しい人または年寄りが、時間に合わせて行うべき仕事を忘れずに出来るようにし、時間のずれが原因で起こる事故などを防止することができる。また、作業現場や実験室などでの正確な時間を要する仕事を、時間誤差のないように行うことができ、効率性を高めることができる。
【００２０】
携帯電話端末機１は、タイマー１０および操作スイッチ２０が、上部ホルダーの前面の高さより低く形成されているため、他人または本人の意志や別の力で変更されるのを防ぐことができる。
【００２１】
携帯電話端末機１は、出力部４０の液晶表示板４２、LED４４、スピーカー４６および振動モーターのうち、２つ以上が同時に作動して、定めた時刻に文字、数字、音響、光または振動などを出力して、使用者に明確に伝えることができ、効率性を高めることができる。出力部４０が多様な方式で出力できるため、状況や使用する者の好みに合わせて設定することができ、便利さが向上している。出力部４０が文字、光、音および振動のうち、少なくとも２つ以上で使用者に知らせることができるため、使用者が気付かない危険性を減らし、気付きやすくすることができる。
【図面の簡単な説明】
【００２２】
【図１】本考案の実施の形態のタイマー機能付き携帯電話端末機を示す正面図である。
【図２】図１に示すタイマー機能付き携帯電話端末機のノブ、操作スイッチ、液晶表示板、LED、スピーカー部分の上部ホルダーを切り欠いた側方断面図である。
【符号の説明】
【００２３】
１    携帯電話端末機
１０  タイマー
１２  ノブ
２０  操作スイッチ
３０  制御部
４０  出力部
４２  液晶表示板
４４  LED
４６  スピーカー
【図１】
0003129319.tif 000003
【図２】
0003129319.tif 000004